(57)【特許請求の範囲】
【請求項１】
アンテナを介して受信された電波の受信強度を順次計測する第１放送受信部と、
アンテナを介して受信された電波からデジタル信号を生成し、当該デジタル信号から、番組を選択するために必要な情報を含む番組情報を分離する第２放送受信部と、
物理チャンネル毎に、前記第２放送受信部で分離された番組情報から抽出された放送信号情報又は放送波が含まれていないことを示す情報を含むスキャン情報、及び、物理チャンネル毎に、前記スキャン情報から取得された、前記放送信号情報又は前記放送波が含まれていないことを示す情報を含むチャンネル情報、を記憶する記憶部と、
視聴する番組が選択された際に、前記第１放送受信部に、前記チャンネル情報に基づいて当該選択された番組に対応する物理チャンネルの電波を受信させ、当該電波からデジタル信号を生成させ、当該デジタル信号から映像デジタル信号及び音声デジタル信号の少なくとも何れか一方を分離させる制御部と、を備え、
前記制御部は、
前記第１放送受信部により計測された受信強度を取得して、受信状態が受信可能状態である場合において、前回取得された受信強度から今回取得された受信強度の低下分が、予め定められた第１閾値よりも大きいときには、受信状態が受信不可状態に遷移したと判断し、受信状態が受信不可状態である場合において、今回取得された受信強度が予め定められた第２閾値以上であるときには、受信状態が受信可能状態に遷移したと判断する受信状態監視部と、
予め定められた順番に従って物理チャンネルを特定し、前記第２放送受信部に、当該特定された物理チャンネルの電波を受信させて、番組情報を分離できるときには、番組情報を分離させる個別スキャン処理を順次実行させるスキャン処理を制御するスキャン制御部と、
前記個別スキャン処理が実行された際に、前記第２放送受信部で番組情報を分離することができた場合には、前記特定された物理チャンネルに対応付けられている情報が、前記第２放送受信部で分離された番組情報から抽出された放送信号情報を示すように、また、前記第２放送受信部で番組情報を分離することができない場合には、前記特定された物理チャンネルに対応付けられている情報が、前記特定された物理チャンネルに放送波が含まれていないことを示す情報を示すように、前記スキャン情報を更新するスキャン情報更新部と、
前記受信状態監視部で判断された最新の受信状態が受信可能状態である場合には、前記スキャン情報において更新された内容が前記チャンネル情報に反映されるように、前記チャンネル情報を更新し、
前記受信状態監視部で判断された最新の受信状態が受信不可状態であり、かつ、前記スキャン情報更新部が、前記放送信号情報を示すように前記スキャン情報を更新した場合には、前記スキャン情報において更新された内容が前記チャンネル情報に反映されるように、前記チャンネル情報を更新し、
前記受信状態監視部で判断された最新の受信状態が受信不可状態であり、かつ、前記スキャン情報更新部が、前記特定された物理チャンネルに放送波が含まれていないことを示す情報を示すように前記スキャン情報を更新した場合には、前記スキャン情報において更新された内容が前記チャンネル情報に反映されないように、前記チャンネル情報を更新しないチャンネル情報更新部と、を備えること
を特徴とするデジタル放送受信装置。
【請求項２】
前記スキャン制御部は、受信状態が受信不可状態であると前記受信状態監視部が判断した場合には、前記スキャン処理を停止すること
を特徴とする請求項１に記載のデジタル放送受信装置。
【請求項３】
前記スキャン制御部は、受信不可状態から受信可能状態に前記受信状態監視部の判断が変わった場合に、前記スキャン処理を停止した時に特定されていた物理チャンネルから、前記スキャン処理を再開すること
を特徴とする請求項２に記載のデジタル放送受信装置。
【請求項４】
前記受信状態監視部は、
受信状態が受信不可状態に遷移してから、前記第１放送受信部から取得される受信強度が継続して前記第２閾値よりも低くなっている場合には、受信状態が受信不可状態であると判断するとともに、受信状態が受信不可状態になってからの期間が、予め定められた第３閾値で示される期間よりも長くなった場合、又は、受信状態が受信可能状態である場合において、前記第１放送受信部から取得される受信強度が前記第２閾値よりも低いときには、受信状態が受信監視不可状態に遷移したと判断し、
受信状態が受信監視不可状態である場合において、今回取得された受信強度が予め定められた第２閾値以上であるときには、受信状態が受信可能状態に遷移したと判断すること
を特徴とする請求項１から３の何れか一項に記載のデジタル放送受信装置。
【請求項５】
前記スキャン制御部は、前記スキャン処理中に、受信状態が受信監視不可状態であると前記受信状態監視部が判断した場合には、前記スキャン処理を中止して、前記選択された番組を放送している中継局又は系列局の物理チャンネルだけを、予め定められた順番に従って順次特定し、前記第２放送受信部に、当該特定された物理チャンネルの電波を受信させて、前記番組情報を分離できるときには、前記番組情報を分離させる個別スキャン処理を順次実行させるハンドオーバ処理を制御すること
を特徴とする請求項４に記載のデジタル放送受信装置。
【請求項６】
前記受信状態監視部は、視聴する番組が選択された後に、前記第１放送受信部から受信強度を取得すること
を特徴とする請求項１から５の何れか一項に記載のデジタル放送受信装置。
【請求項７】
前記スキャン制御部は、受信状態が受信監視不可状態であると前記受信状態監視部が判断した場合には、前記スキャン処理を中止すること
を特徴とする請求項４に記載のデジタル放送受信装置。
【請求項８】
前記スキャン制御部は、全ての物理チャンネルについて個別スキャン処理を行った後に、個別スキャン処理の前後の少なくとも何れか一方の受信状態が受信可能状態ではなく、かつ、前記第２放送受信部で番組情報を分離することができなかった物理チャンネルについて、再度個別スキャン処理を行うこと
を特徴とする請求項１から７の何れか一項に記載のデジタル放送受信装置。
【請求項９】
前記スキャン制御部は、物理チャンネルの内最も受信強度の高い物理チャンネルの電波を前記第１放送受信部に受信させること
を特徴とする請求項１から４の何れか一項に記載のデジタル放送受信装置。
【請求項１０】
前記第２放送受信部は、前記電波の受信強度を順次計測し、
前記スキャン情報は、受信強度をさらに含み
前記スキャン情報更新部は、前記個別スキャン処理が実行された際に、前記特定された物理チャンネルに対応付けられている受信強度が前記第２放送受信部で計測された最新の受信強度を示すように、前記スキャン情報を更新し、
前記スキャン制御部は、前記スキャン処理中に、受信状態が受信監視不可状態であると前記受信状態監視部が判断した場合には、前記スキャン情報に含まれている受信強度が最も高い物理チャンネルの電波を、前記第１放送受信部に受信させること
を特徴とする請求項４に記載のデジタル放送受信装置。
【請求項１１】
アンテナを介して受信された電波の受信強度を順次計測する第１放送受信過程と、
アンテナを介して受信された電波からデジタル信号を生成し、当該デジタル信号から、番組を選択するために必要な情報を含む番組情報を分離する第２放送受信過程と、
視聴する番組が選択された際に、前記第１放送受信過程に、物理チャンネル毎に、前記第２放送受信過程で分離された番組情報から抽出された放送信号情報又は放送波が含まれていないことを示す情報を含むチャンネル情報に基づいて、当該選択された番組に対応する物理チャンネルの電波を受信させ、当該電波からデジタル信号を生成させ、当該デジタル信号から映像デジタル信号及び音声デジタル信号の少なくとも何れか一方を分離させる制御過程と、
前記第１放送受信過程により計測された受信強度を取得して、受信状態が受信可能状態である場合において、前回取得された受信強度から今回取得された受信強度の低下分が、予め定められた第１閾値よりも大きいときには、受信状態が受信不可状態に遷移した判断し、受信状態が受信不可状態である場合において、今回取得された受信強度が予め定められた第２閾値以上であるときには、受信状態が受信可能状態に遷移したと判断する受信状態監視過程と、
予め定められた順番に従って物理チャンネルを特定し、前記第２放送受信過程に、当該特定された物理チャンネルの電波を受信させて、番組情報を分離できるときには、番組情報を分離させる個別スキャン処理を順次実行させるスキャン処理を制御するスキャン制御過程と、
前記個別スキャン処理が実行された際に、前記第２放送受信過程で番組情報を分離することができた場合には、前記特定された物理チャンネルに対応付けられている情報が、前記第２放送受信過程で分離された番組情報から抽出された放送信号情報を示すように、また、前記第２放送受信過程で番組情報を分離することができない場合には、前記特定された物理チャンネルに対応付けられている情報が、前記特定された物理チャンネルに放送波が含まれていないことを示す情報を示すように、物理チャンネル毎に、前記第２放送受信過程で分離された番組情報から抽出された放送信号情報又は放送波が含まれていないことを示す情報を含むスキャン情報を更新するスキャン情報更新過程と、
前記受信状態監視過程で判断された最新の受信状態が受信可能状態である場合には、前記スキャン情報において更新された内容が前記チャンネル情報に反映されるように、前記チャンネル情報を更新し、
前記受信状態監視過程で判断された最新の受信状態が受信不可状態であり、かつ、前記スキャン情報更新過程が、前記放送信号情報を示すように前記スキャン情報を更新した場合には、前記スキャン情報において更新された内容が前記チャンネル情報に反映されるように、前記チャンネル情報を更新し、
前記受信状態監視過程で判断された最新の受信状態が受信不可状態であり、かつ、前記スキャン情報更新過程が、前記特定された物理チャンネルに放送波が含まれていないことを示す情報を示すように前記スキャン情報を更新した場合には、前記スキャン情報において更新された内容が前記チャンネル情報に反映されないように、前記チャンネル情報を更新しないチャンネル情報更新過程と、を備えること
を特徴とするデジタル放送受信方法。
【請求項１２】
前記スキャン制御過程は、受信状態が受信不可状態であると前記受信状態監視過程が判断した場合には、前記スキャン処理を停止すること
を特徴とする請求項１１に記載のデジタル放送受信方法。
【請求項１３】
前記スキャン制御過程は、受信不可状態から受信可能状態に前記受信状態監視過程の判断が変わった場合に、前記スキャン処理を停止した時に特定されていた物理チャンネルから、前記スキャン処理を再開すること
を特徴とする請求項１２に記載のデジタル放送受信方法。
【請求項１４】
前記受信状態監視過程は、
受信状態が受信不可状態に遷移してから、前記第１放送受信過程から取得される受信強度が継続して前記第２閾値よりも低くなっている場合には、受信状態が受信不可状態であると判断するとともに、受信状態が受信不可状態になってからの期間が、予め定められた第３閾値で示される期間よりも長くなった場合、又は、受信状態が受信可能状態である場合において、前記第１放送受信過程から取得される受信強度が前記第２閾値よりも低いときには、受信状態が受信監視不可状態に遷移したと判断し、
受信状態が受信監視不可状態である場合において、今回取得された受信強度が予め定められた第２閾値以上であるときには、受信状態が受信可能状態に遷移したと判断すること
を特徴とする請求項１１から１３の何れか一項に記載のデジタル放送受信方法。
【請求項１５】
前記スキャン制御過程は、前記スキャン処理中に、受信状態が受信監視不可状態であると前記受信状態監視過程が判断した場合には、前記スキャン処理を中止して、前記選択された番組を放送している中継局又は系列局の物理チャンネルだけを、予め定められた順番に従って順次特定し、前記第２放送受信過程に、当該特定された物理チャンネルの電波を受信させて、前記番組情報を分離できるときには、前記番組情報を分離させる個別スキャン処理を順次実行させるハンドオーバ処理を制御すること
を特徴とする請求項１４に記載のデジタル放送受信方法。
【請求項１６】
前記受信状態監視過程は、視聴する番組が選択された後に、前記第１放送受信過程から受信強度を取得すること
を特徴とする請求項１１から１５の何れか一項に記載のデジタル放送受信方法。
【請求項１７】
前記スキャン制御過程は、受信状態が受信監視不可状態であると前記受信状態監視過程が判断した場合には、前記スキャン処理を中止すること
を特徴とする請求項１４に記載のデジタル放送受信方法。
【請求項１８】
前記スキャン制御過程は、全ての物理チャンネルについて個別スキャン処理を行った後に、個別スキャン処理の前後の少なくとも何れか一方の受信状態が受信可能状態ではなく、かつ、前記第２放送受信過程で番組情報を分離することができなかった物理チャンネルについて、再度個別スキャン処理を行うこと
を特徴とする請求項１１から１７の何れか一項に記載のデジタル放送受信方法。
【請求項１９】
前記スキャン制御過程は、物理チャンネルの内最も受信強度の高い物理チャンネルの電波を前記第１放送受信過程に受信させること
を特徴とする請求項１１から１４の何れか一項に記載のデジタル放送受信方法。
【請求項２０】
前記第２放送受信過程は、前記電波の受信強度を順次計測し、
前記スキャン情報は、受信強度をさらに含み
前記スキャン情報更新過程は、前記個別スキャン処理が実行された際に、前記特定された物理チャンネルに対応付けられている受信強度が前記第２放送受信過程で計測された最新の受信強度を示すように、前記スキャン情報を更新し、
前記スキャン制御過程は、前記スキャン処理中に、受信状態が受信監視不可状態であると前記受信状態監視過程が判断した場合には、前記スキャン情報に含まれている受信強度が最も高い物理チャンネルの電波を、前記第１放送受信過程に受信させること
を特徴とする請求項１４に記載のデジタル放送受信方法。
【発明の詳細な説明】
【技術分野】
【０００１】
本発明は、デジタル放送受信装置及びデジタル放送受信方法に関する。
【背景技術】
【０００２】
デジタル放送を受信するデジタル放送受信装置には、自装置が存在している現在地域において、物理チャンネル毎に放送信号の受信及び復調を行って、放送信号の有無を確認し、放送局の情報等を含む放送信号情報を取得するスキャンと呼ばれる機能がある。ここで、物理チャンネルとは、各デジタル放送規格によって定義された特定の周波数範囲に対応させて特定の番号を割り当てたものであり、例えば、日本で用いられるＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）規格の場合には、チャンネル番号１３は、４７０Ｍｈｚから４７６Ｍｈｚの周波数範囲に対応する。
【０００３】
スキャンの結果として得られた受信可能な放送信号情報は、通常はデジタル放送受信装置内の不揮発メモリに書き込まれ保存される。ユーザがリモコン等の入力手段により選局指示を出した場合、デジタル放送受信装置は、保存された放送信号情報に基づいてチューニング等の選局処理を行う。
【０００４】
スキャンの実行が必要となる状況としては、購入直後の初期設定時等、デジタル放送受信装置内に放送信号情報が保存されていない状況、及び、デジタル放送受信装置の移動又は周囲環境の変化によって受信可能な放送波の状態が変化した状況がある。屋内に設置された状態で使用される固定型のデジタル放送受信装置に比べ、特に、携帯機器又は車載機器として使用される移動型のデジタル放送受信装置では、後者の状況が発生しやすい。
【０００５】
一方、移動型のデジタル放送受信装置では、装置が遮蔽物によって放送局からの放送波が届きにくい場所（例えばトンネルや高架下、屋内環境など）に移動した場合に、一時的に放送波を受信できない状況になることがある。スキャンを実行している途中にこのような状況が発生すると、放送波が存在しないと判定され、結果的に本来受信可能な放送局が正しく登録されないという問題がある。
【０００６】
この問題を解決するため、例えば、特許文献１に記載の方法では、所定の人工衛星からの電波をアンテナで受信し、電波を受信可能であると判断するとスキャンを開始し、電波を受信不可能であると判断するとスキャンを中止している。これにより、デジタル放送受信装置が放送波を受信可能な場所に位置すると見なせる場合にのみスキャンが実行されるため、本来受信可能な放送局を登録することができる。
【先行技術文献】
【特許文献】
【０００７】
【特許文献１】特開２００８−１７３９２号公報
【発明の概要】
【発明が解決しようとする課題】
【０００８】
しかしながら、特許文献１に記載された方法では、人工衛星からの電波を受信する受信機を備える必要がある。衛星放送を受信対象としないデジタル放送受信装置の場合、人工衛星用の受信機はデジタル放送を受信する用途には不要であるが、特許文献１の方法を実施するためにはこれを構成要素に加えなくてはならない。
【０００９】
そこで、本発明は、以上のような課題を解決するものであり、人工衛星からの電波を受信する受信機を備える必要がなく、かつ、一時的に放送波を受信不可能な場所に移動するような場合でも、本来受信可能な放送局を正しく登録することができるようにすることを目的とする。
【課題を解決するための手段】
【００１０】
本発明の一態様に係るデジタル放送受信装置は、
アンテナを介して受信された電波の受信強度を順次計測する第１放送受信部と、
アンテナを介して受信された電波からデジタル信号を生成し、当該デジタル信号から、番組を選択するために必要な情報を含む番組情報を分離する第２放送受信部と、
物理チャンネル毎に、前記第２放送受信部で分離された番組情報から抽出された放送信号情報又は放送波が含まれていないことを示す情報を含むスキャン情報、及び、物理チャンネル毎に、前記スキャン情報から取得された、前記放送信号情報又は前記放送波が含まれていないことを示す情報を含むチャンネル情報、を記憶する記憶部と、
視聴する番組が選択された際に、前記第１放送受信部に、前記チャンネル情報に基づいて当該選択された番組に対応する物理チャンネルの電波を受信させ、当該電波からデジタル信号を生成させ、当該デジタル信号から映像デジタル信号及び音声デジタル信号の少なくとも何れか一方を分離させる制御部と、を備え、
前記制御部は、
前記第１放送受信部により計測された受信強度を取得して、受信状態が受信可能状態である場合において、前回取得された受信強度から今回取得された受信強度の低下分が、予め定められた第１閾値よりも大きいときには、受信状態が受信不可状態に遷移したと判断し、受信状態が受信不可状態である場合において、今回取得された受信強度が予め定められた第２閾値以上であるときには、受信状態が受信可能状態に遷移したと判断する受信状態監視部と、
予め定められた順番に従って物理チャンネルを特定し、前記第２放送受信部に、当該特定された物理チャンネルの電波を受信させて、番組情報を分離できるときには、番組情報を分離させる個別スキャン処理を順次実行させるスキャン処理を制御するスキャン制御部と、
前記個別スキャン処理が実行された際に、前記第２放送受信部で番組情報を分離することができた場合には、前記特定された物理チャンネルに対応付けられている情報が、前記第２放送受信部で分離された番組情報から抽出された放送信号情報を示すように、また、前記第２放送受信部で番組情報を分離することができない場合には、前記特定された物理チャンネルに対応付けられている情報が、前記特定された物理チャンネルに放送波が含まれていないことを示す情報を示すように、前記スキャン情報を更新するスキャン情報更新部と、
前記受信状態監視部で判断された最新の受信状態が受信可能状態である場合には、前記スキャン情報において更新された内容が前記チャンネル情報に反映されるように、前記チャンネル情報を更新し、
前記受信状態監視部で判断された最新の受信状態が受信不可状態であり、かつ、前記スキャン情報更新部が、前記放送信号情報を示すように前記スキャン情報を更新した場合には、前記スキャン情報において更新された内容が前記チャンネル情報に反映されるように、前記チャンネル情報を更新し、
前記受信状態監視部で判断された最新の受信状態が受信不可状態であり、かつ、前記スキャン情報更新部が、前記特定された物理チャンネルに放送波が含まれていないことを示す情報を示すように前記スキャン情報を更新した場合には、前記スキャン情報において更新された内容が前記チャンネル情報に反映されないように、前記チャンネル情報を更新しないチャンネル情報更新部と、を備えることを特徴とする。
【発明の効果】
【００１１】
本発明の一態様によれば、人工衛星からの電波を受信する受信機を備えずに、一時的に放送波を受信不可能な場所に移動するような場合でも、本来受信可能な放送局を正しく登録することができる。
【図面の簡単な説明】
【００１２】
【図１】実施の形態１及び２に係るデジタル放送受信装置の構成を概略的に示すブロック図である。
【図２】実施の形態１におけるスキャンチャンネルリストの一例を示す概略図である。
【図３】実施の形態１におけるスキャン結果リストの一例を示す概略図である。
【図４】実施の形態１におけるチャンネル情報の一例を示す概略図である。
【図５】実施の形態１における受信状態情報の一例を示す概略図である。
【図６】実施の形態１における受信状態監視部によって行われる受信状態監視処理のフローチャートである。
【図７】実施の形態１における受信状態監視処理によって受信状態がどのように遷移するかを示した状態遷移図である。
【図８】実施の形態１において、実際の受信強度の変化に対して受信状態がどう変化するかを示した概略図である。
【図９】実施の形態１における個別スキャン処理を示すフローチャートである。
【図１０】実施の形態１におけるスキャン処理を示すフローチャート（その１）である。
【図１１】実施の形態１におけるスキャン処理を示すフローチャート（その２）である。
【図１２】実施の形態１におけるスキャン処理の実行例を示す概略図である。
【図１３】実施の形態１におけるハンドオーバ処理を示すフローチャートである。
【図１４】実施の形態２におけるスキャン結果リストの一例を示す概略図である。
【図１５】実施の形態２におけるスキャン処理を示すフローチャート（その１）である。
【図１６】実施の形態２におけるスキャン処理を示すフローチャート（その２）である。
【図１７】実施の形態２におけるスキャン処理の実行例を示す概略図である。
【発明を実施するための形態】
【００１３】
実施の形態１．
図１は、実施の形態１に係るデジタル放送受信装置１００の構成を概略的に示すブロック図である。なお、デジタル放送受信装置１００は、日本国内において使用されているＡＲＩＢ規格に対応するものとする。
【００１４】
図１に示すように、デジタル放送受信装置１００は、第１チューナ部１０１と、第１復調部１０２と、第１デマルチプレクス部１０３と、デコード部１０４と、出力部１０５と、第２チューナ部１０６と、第２復調部１０７と、第２デマルチプレクス部１０８と、入力部１０９と、記憶部１１０と、制御部１２０とを備える。ここで、第１チューナ部１０１、第１復調部１０２及び第１デマルチプレクス部１０３により、第１放送受信部が構成され、第２チューナ部１０６、第２復調部１０７及び第２デマルチプレクス部１０８により、第２放送受信部が構成される。なお、図１の括弧内の符号は、実施の形態２における構成を示している。
【００１５】
第１チューナ部１０１は、第１アンテナ１３０に接続され、第１アンテナ１３０で受信された電波より受信信号を生成する。第１チューナ部１０１は、制御部１２０からの同調指示に従って、指示された物理チャンネルに基づいて放送局の選局を行い、この放送局からの受信信号を生成して、この受信信号を第１復調部１０２に与える。また、第１チューナ部１０１は、制御部１２０からの指示により、選局中の物理チャンネルにおける電波の受信強度を取得して、この受信強度を制御部１２０に与える。なお、制御部１２０は、第１チューナ部１０１に順次指示を与えることで、第１チューナ部１０１から受信強度を順次取得する。
【００１６】
第１復調部１０２は、第１チューナ部１０１より与えられた受信信号の復調処理及び誤り訂正処理を行い、デジタル信号としてのＴＳ（Ｔｒａｎｓｐｏｒｔ  Ｓｔｒｅａｍ：トランスポート・ストリーム）を生成する。そして、第１復調部１０２は、生成したＴＳを第１デマルチプレクス部１０３に与える。また、第１復調部１０２は、復調処理の結果に応じて、フレームロック検出信号又はフレームアンロック検出信号を制御部１２０に与える。
【００１７】
第１デマルチプレクス部１０３は、第１復調部１０２より与えられたＴＳに対して、デマルチプレクス処理を行う。例えば、第１デマルチプレクス部１０３は、ＴＳから番組特定情報（ＰＳＩ：Ｐｒｏｇｒａｍ  Ｓｐｅｃｉｆｉｃ  Ｉｎｆｏｒｍａｔｉｏｎ）及び番組配列情報（サービス情報：ＳＩ：Ｓｅｒｖｉｃｅ  Ｉｎｆｏｒｍａｔｉｏｎ）等のサービス（番組）を選択するために必要な情報を含む番組情報を分離する。さらに、第１デマルチプレクス部１０３は、分離されたＰＳＩ／ＳＩより検出された、映像ＴＳパケット及び音声ＴＳパケットのＰＩＤ（パケット識別子：Ｐａｃｋｅｔ  Ｉｄｅｎｔｉｆｉｅｒ）の値に基づいて、ＴＳをフィルタリングし、映像デジタル信号としての映像ＴＳパケット、及び、音声デジタル信号としての音声ＴＳパケットを分離する。そして、第１デマルチプレクス部１０３は、分離された映像ＴＳパケット及び音声ＴＳパケットをデコード部１０４に与える。
【００１８】
デコード部１０４は、第１デマルチプレクス部１０３から与えられた映像パケット及び音声パケットをデコード（復号）して、映像データ及び音声データをそれぞれ生成する。そして、デコード部１０４は、生成された映像データ及び音声データを、出力部１０５に与える。
【００１９】
出力部１０５は、デコード部１０４から入力された映像データ及び音声データを、所定の映像信号及び音声信号の形式で外部に出力する。出力された映像信号及び音声信号は、例えばデジタル放送受信装置１００に接続されたモニタやスピーカによって、映像及び音声としてユーザに提供される。
【００２０】
第２チューナ部１０６は、第２アンテナ１３１に接続され、第２アンテナ１３１で受信された電波より受信信号を生成する。第２チューナ部１０６は、制御部１２０からの同調指示に従って、指示された物理チャンネルに基づいて放送局の選局を行い、この放送局からの受信信号を生成して、この受信信号を第２復調部１０７に与える。また、第２チューナ部１０６は、制御部１２０からの指示により、選局中の物理チャンネルにおける電波の受信強度を取得して、この受信強度を制御部１２０に与える。
【００２１】
第２復調部１０７は、第２チューナ部１０６より与えられた受信信号の復調処理及び誤り訂正処理を行い、デジタル信号としてのＴＳを生成する。そして、第２復調部１０７は、生成したＴＳを第２デマルチプレクス部１０８に与える。また、第２復調部１０７は、復調処理の結果に応じて、フレームロック検出信号又はフレームアンロック検出信号を制御部１２０に与える。
【００２２】
第２デマルチプレクス部１０８は、第２復調部１０７より与えられたＴＳに対して、デマルチプレクス処理を行う。例えば、第２デマルチプレクス部１０８は、ＴＳから番組特定情報及び番組配列情報等のサービス（番組）を選択するために必要な情報を含む番組情報を分離する。
【００２３】
ここで、第１チューナ部１０１、第１復調部１０２及び第１デマルチプレクス部１０３は、番組視聴及び受信状態の監視に用いられる。第２チューナ部１０６、第２復調部１０７及び第２デマルチプレクス部１０８は、スキャンに用いられる。
【００２４】
入力部１０９は、ユーザから指示入力を受け、指示内容を制御部１２０に伝える。入力部１０９は、デジタル放送受信装置１００に設けられている操作ボタン及びリモコン等により構成される。
【００２５】
記憶部１１０は、スキャン情報１１１と、チャンネル情報１１２と、受信状態情報１１３とを記憶する。
【００２６】
スキャン情報１１１は、スキャンチャンネルリスト１１１Ａと、スキャン結果リスト１１１Ｂとを有する。スキャンチャンネルリスト１１１Ａは、スキャン対象である物理チャンネル毎に、スキャンの順序を示す情報を含む。スキャン結果リスト１１１Ｂは、スキャン対象となる物理チャンネル毎に、制御部１２０で行われたスキャンの結果、取得された放送信号情報を含む。
【００２７】
図２は、スキャンチャンネルリスト１１１Ａの一例を示す概略図である。スキャンチャンネルリスト１１１Ａは、スキャン順序欄１１１ａと、物理ｃｈ欄１１１ｂとを有するテーブル形式の情報である。
スキャン順序欄１１１ａは、物理ｃｈ欄１１１ｂに格納されている物理チャンネルのスキャン順序を格納する。
物理ｃｈ欄１１１ｂは、スキャン対象となる物理チャンネルを格納する。
なお、スキャンチャンネルリスト１１１Ａはスキャン順序と物理チャンネルのリストであり、スキャン開始時に初期化されて制御に用いられる。
【００２８】
図３は、スキャン結果リスト１１１Ｂの一例を示す概略図である。スキャン結果リスト１１１Ｂは、物理ｃｈ欄１１１ｃと、ネットワークＩＤ（以下、ＮＴＩＤという）欄１１１ｄと、ＭＦＮ局の物理ｃｈ欄１１１ｅと、系列局ＩＤ欄１１１ｆと、ＴＳＩＤ欄１１１ｇと、サービスＩＤ欄１１１ｈと、サービス名欄１１１ｉとを有する。なお、本実施の形態においては、これらの欄に格納される情報は、ＡＲＩＢ（Ａｓｓｏｃｉａｔｉｏｎ  Ｒａｄｉｏ  Ｉｎｄｕｓｔｒｉｅｓ  ａｎｄ  Ｂｕｓｉｎｅｓｓｅｓ）規格で定義されるＮＩＴ（Ｎｅｔｗｏｒｋ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、及び、ＢＩＴ（Ｂｒｏａｄｃａｓｔｅｒ  Ｉｎｆｏｒｍａｔｉｏｎ  Ｔａｂｌｅ）から取得することができる。
物理ｃｈ欄１１１ｃは、スキャン対象となった物理チャンネルを格納する。
ＮＴＩＤ欄１１１ｄは、物理ｃｈ欄１１１ｃに格納されている物理チャンネルの（放送）ネットワークの識別子であるＮＴＩＤを格納する。
ＭＦＮ局の物理ｃｈ欄１１１ｅは、物理ｃｈ欄１１１ｃに格納されている物理チャンネルを用いて放送している放送局のＭＦＮ（Ｍｕｌｔｉ−ｆｒｅｑｕｅｎｃｙ  ｎｅｔｗｏｒｋ）局が使用している物理チャンネルを格納する。ＭＦＮ局は、物理ｃｈ欄で放送を行っている放送局の中継局であって、物理ｃｈ欄に格納されている物理チャンネルとは異なる物理チャンネルを使用しているものをいう。ＭＦＮ関係であるか否かの判定には、例えば、ＩＳＤＢ−Ｔ規格の場合、番組情報の内、視聴していたＴＳ中の番組特定情報(ＰＳＩ)のＮＩＴセクションにおける地上分配システム記述子内の周波数の値を用いることができる。
系列局ＩＤ欄１１１ｆは、物理ｃｈ欄１１１ｃに格納されている物理チャンネルを用いて放送している放送局と、同じ放送を行うことのある放送局である系列局を識別するための系列局ＩＤを格納する。例えば、キー局の電波を直接受信できない地方で、キー局の電波を中継するローカル局が系列局に含まれる。ここで、ＩＳＤＢ−Ｔ規格においては、第２デマルチプレクス部１０８で分離された番組情報から抽出されたＢＩＴセクションにおけるａｆｆｉｌｉａｔｉｏｎ＿ｉｄのフィールドの値が同一であれば、その放送局は系列局と判断することができる。なお、系列局ＩＤは、系列局が放送を行っている物理チャンネルであってもよい。
ＴＳＩＤ欄１１１ｇは、物理ｃｈ欄１１１ｃに格納されている物理チャンネルで放送されているサービスのトランスポートストリームを一意に識別するための識別情報であるＴＳＩＤを格納する。
サービスＩＤ欄１１１ｈは、物理ｃｈ欄１１１ｃに格納されている物理チャンネルで放送されている放送サービスを識別するための識別情報であるサービスＩＤを格納する。
サービス名欄１１１ｉは、物理ｃｈ欄１１１ｃに格納されている物理チャンネルで放送されている放送サービスの名称を格納する。
なお、スキャン結果リスト１１１Ｂにおいて、ＮＴＩＤ欄１１１ｄ、ＭＦＮ局の物理ｃｈ欄１１１ｅ、系列局ＩＤ欄１１１ｆ、ＴＳＩＤ欄１１１ｇ、サービスＩＤ欄１１１ｈ及びサービス名欄１１１ｉに「−」が格納されている場合には、その物理チャンネルには、放送波が含まれていないことを示す。
【００２９】
図１の説明に戻り、チャンネル情報１１２は、物理チャンネル毎の放送信号情報を示す情報であり、番組視聴のための選局に使用される情報である。チャンネル情報１１２に含まれている情報は、スキャン情報１１１から取得（選択）された情報である。
図４は、チャンネル情報１１２の一例を示す概略図である。チャンネル情報１１２は、物理ｃｈ欄１１２ａと、ネットワークＩＤ（以下、ＮＴＩＤという）欄１１２ｂと、ＭＦＮ局の物理ｃｈ欄１１２ｃと、系列局ＩＤ欄１１２ｄと、ＴＳＩＤ欄１１２ｅと、サービスＩＤ欄１１２ｆと、サービス名欄１１２ｇとを有するテーブル形式の情報である。これらの欄に格納される情報は、スキャン結果リスト１１１Ｂの対応する欄に格納される情報と同様であるが、チャンネル情報１１２には、スキャン結果リスト１１１Ｂに格納された情報のうち、制御部１２０が妥当であると判断した情報が格納される。
【００３０】
図１の説明に戻り、受信状態情報１１３は、第１チューナ部１０１で計測された電波の受信強度と、放送波の受信状況とを示す情報である。
図５は、受信状態情報１１３の一例を示す概略図である。受信状態情報１１３は、前回の受信強度欄１１３ａと、今回の受信強度欄１１３ｂと、受信状態欄１１３ｃとを有するテーブル形式の情報である。
前回の受信強度欄１１３ａは、第１チューナ部１０１が前回計測した電波の受信強度を格納する。
今回の受信強度欄１１３ｂは、第１チューナ部１０１が計測した、最新の電波の受信強度を格納する。
受信状態欄１１３ｃは、制御部１２０は、前回の受信強度欄１１３ａ及び今回の受信強度欄１１３ｂの少なくとも何れか一方に格納されている電波の受信強度の値に基づいて、制御部１２０が判断した最新（現在）の受信状態を格納する。本実施の形態においては、受信状態として、仮に放送波が放送されていれば問題なく受信できると判断された状態である受信可能状態と、仮に放送波が放送されていても受信できないと判断された状態である受信不可状態と、受信状態監視に用いている物理チャンネルの受信強度が非常に低いために上記の受信可能状態及び受信不可状態のどちらとも判断がつかない状態である受信監視不可状態とがある。
【００３１】
図１の説明に戻り、制御部１２０は、デジタル放送受信装置１００で行われる処理を統括的に制御する。例えば、制御部１２０は、入力部１０９等を介して、ユーザが選局したチャンネルに対応する物理チャンネルの電波を受信するように、第１チューナ部１０１に指示を出す。また、制御部１２０は、受信状態監視部１２１と、スキャン制御部１２２と、スキャン情報更新部１２３と、チャンネル情報更新部１２４とを備える。
【００３２】
受信状態監視部１２１は、第１チューナ部１０１から電波の受信強度を取得して、取得した受信強度に基づいて受信状態を判断する。例えば、受信状態監視部１２１は、第１チューナ部１０１から電波の受信強度を取得すると、受信状態情報１１３において、前回の受信強度欄１１３ａに格納されている値を削除して、今回の受信強度欄１１３ｂに格納されている値を前記受信強度欄１１３ａに格納することで、今回の受信強度欄１１３ｂに格納されている値を前回の受信強度欄１１３ａに移し替える。また、受信状態監視部１２１は、第１チューナ部１０１から取得した電波の受信強度を、今回の受信強度欄１１３ｂに格納する。そして、受信状態監視部１２１は、前回の受信強度欄１１３ａに格納された値から、今回の受信強度欄１１３ｂに格納された値を減算した減算値が、予め定められた第１閾値よりも大きい場合には、最新の受信状態を受信不可状態と判断する。また、受信状態監視部１２１は、今回の受信強度欄１１３ｂに格納された値が第２閾値以上である場合には、最新の受信状態を受信可能状態と判断する。さらに、受信状態監視部１２１は、受信不可状態になってから、継続して、今回の受信強度欄１１３ｂに格納された値が第２閾値よりも低い場合には、最新の受信状態を受信不可状態と判断する。加えて、受信状態監視部１２１は、受信状態が受信可能状態において、今回の受信強度欄１１３ｂに格納された値が第２閾値よりも低くなった場合には、最新の受信状態を受信監視不可状態であると判断する。さらにまた、受信状態監視部１２１は、受信不可状態となっている期間が、予め定められた第３の閾値で示される期間よりも長くなった場合には、最新の受信状態を受信監視不可状態と判断する。なお、受信状態監視部１２１は、デジタル放送受信装置１００が起動されてから終了するまでの間、以上のような受信状態監視処理を継続して行い、受信状態を更新する。
【００３３】
以上の処理で使用される第１閾値、第２閾値及び第３閾値は、いずれも制御部１２０の内部又は記憶部１１０で保持している定数値である。第１閾値は、受信強度の低下がどの程度急激なものかを判定するための値である。第２閾値は、受信強度がデジタル放送受信装置１００において受信可能なレベルに達しているかどうかを判定するための値である。第３閾値は、受信不可状態がどの程度長く続けば受信監視不可状態に遷移させるかを判定するための値である。これらの閾値については、実際のデジタル放送受信装置１００又は放送環境での計測値等を元に適当な値を予め決定しておく必要がある。
【００３４】
スキャン制御部１２２は、第２チューナ部１０６、第２復調部１０７及び第２デマルチプレクス部１０８を制御して、スキャン処理を実行する。
スキャン情報更新部１２３は、スキャン制御部１２２で実行されたスキャン処理の結果に従って、スキャン情報１１１を更新する。
チャンネル情報更新部１２４は、受信状態監視部１２１が判断した最新の受信状態に応じて、スキャン情報１１１に格納された放送信号情報が妥当かどうかを判断する。そして、チャンネル情報更新部１２４は、スキャン情報１１１に格納された放送信号情報が妥当であると判断した場合には、スキャン情報１１１に格納された放送信号情報に基づいて、チャンネル情報を更新する。
【００３５】
図６は、受信状態監視部１２１によって行われる受信状態監視処理のフローチャートである。以下、図６に従って処理の流れを説明する。
【００３６】
受信状態監視部１２１は、第１チューナ部１０１より現在の受信強度を取得する（Ｓ１０）。そして、受信状態監視部１２１は、記憶部１１０に記憶されている受信状態情報１１３において、前回の受信強度欄１１３ａに記憶されている値を削除して、今回の受信強度欄１１３ｂに記憶されている値を前回の受信強度欄１１３ａに移し替える。また、受信状態監視部１２１は、今回の受信強度欄１１３ｂに、ステップＳ１０で取得した現在の受信強度を格納する。
【００３７】
受信状態監視部１２１は、記憶部１１０に記憶されている受信状態情報１１３を参照することで、現在（最新）の受信状態が受信可能状態であるかどうかを判定する（Ｓ１１）。そして、受信状態監視部１２１は、現在の受信状態が受信可能状態ではない場合（Ｓ１１：Ｎｏ）には、ステップＳ１２の処理に進み、現在の受信状態が受信可能状態である場合（Ｓ１１：Ｙｅｓ）には、ステップＳ１４の処理に進む。
【００３８】
ステップＳ１２では、受信状態監視部１２１は、ステップＳ１０で取得した現在の受信強度が、第２閾値以上であるかどうかを判定する。そして、受信状態監視部１２１は、現在の受信強度が第２閾値以上である場合（Ｓ１２：ＹＥＳ）には、ステップＳ１３の処理に進み、現在の受信強度が第２閾値よりも低い場合（Ｓ１２：ＮＯ）には、ステップＳ１８の処理に進む。
【００３９】
ステップＳ１３では、受信状態監視部１２１は、現在の受信状態が受信可能状態であることを示すように、記憶部１１０に記憶されている受信状態情報１１３を更新する。
【００４０】
一方、ステップＳ１１において、現在の受信状態が受信可能状態であると判断された場合（Ｓ１１）には、受信状態監視部１２１は、ステップＳ１４に進む。ステップＳ１４では、受信状態監視部１２１は、受信状態情報１１３を参照して、前回の受信強度の値と、ステップＳ１０で取得された今回の受信強度の値とを比較して、その低下分が第１閾値より大きいかどうかを判定する。そして、受信状態監視部１２１は、受信強度の低下分が第１閾値より大きい場合（Ｓ１４：ＹＥＳ）には、ステップＳ１５の処理に進み、受信強度の低下分が第１閾値以下の場合（Ｓ１４：ＮＯ）には、ステップＳ１６の処理に進む。
【００４１】
ステップＳ１５では、受信状態監視部１２１は、現在の受信状態が受信不可状態であることを示すように、記憶部１１０に記憶されている受信状態情報１１３を更新する。
【００４２】
ステップＳ１６では、受信状態監視部１２１は、ステップＳ１０で取得した現在の受信強度が、第２閾値よりも低いかどうかを判定する。そして、受信状態監視部１２１は、現在の受信強度が第２閾値よりも低い場合（Ｓ１６：ＹＥＳ）には、ステップＳ１７の処理に進み、現在の受信強度が第２閾値以上である場合（Ｓ１６：ＮＯ）には、ステップＳ１８の処理に進む。
【００４３】
ステップＳ１７では、受信状態監視部１２１は、現在の受信状態が受信監視不可状態であることを示すように、記憶部１１０に記憶されている受信状態情報１１３を更新する。
【００４４】
また、ステップＳ１８では、受信状態監視部１２１は、記憶部１１０に記憶されている受信状態情報１１３を参照することで、現在の受信状態が受信不可状態であるかどうかを判定する。そして、受信状態監視部１２１は、現在の受信状態が受信不可状態である場合（Ｓ１８：Ｙｅｓ）には、ステップＳ１９の処理に進み、現在の受信状態が受信不可状態ではない場合（Ｓ１８：Ｎｏ）には、ステップＳ２２の処理に進む。
【００４５】
ステップＳ１９では、受信状態監視部１２１は、受信不可状態の経過期間をカウントするためのカウント値をインクリメントする。なお、このカウント値の初期値は「０」であり、このカウント値は記憶部１１０に記憶されているものとする。
【００４６】
次に、受信状態監視部１２１は、経過時間のカウント値が第３閾値よりも大きいかどうかを判定する（Ｓ２０）。そして、受信状態監視部１２１は、経過時間のカウント値が第３閾値よりも大きい場合（Ｓ２０：Ｙｅｓ）には、ステップＳ２１の処理に進み、経過時間のカウント値が第３閾値以下である場合（Ｓ２０：Ｎｏ）には、ステップＳ２３の処理に進む。
【００４７】
ステップＳ２１では、受信状態監視部１２１は、現在の受信状態が受信監視不可状態であることを示すように、記憶部１１０に記憶されている受信状態情報１１３を更新する。
【００４８】
一方、ステップＳ１８において、現在の受信状態が受信不可状態ではないと判断した場合（Ｓ１８：Ｎｏ）には、受信状態監視部１２１は、ステップＳ２２の処理に進む。ステップＳ２２では、受信状態監視部１２１は、経過時間のカウント値をリセットする（Ｓ２２）。リセットされたカウント値は、初期値「０」になる。
【００４９】
ステップＳ２３では、受信状態監視部１２１は、予め定められた時間待機する。ここでの待機時間は、１つの物理チャンネルに対しての個別スキャン処理に要する最短時間に対して充分に短いことが望ましい。これは以降で述べるように、スキャン処理において、１つの物理チャンネルの個別スキャン処理毎に最新の受信状態を参照する必要があるためである。そして、受信状態監視部１２１は、ステップＳ１０の処理に戻る。
【００５０】
図７は、受信状態監視処理によって受信状態がどのように遷移するかを示した状態遷移図である。
受信可能状態から受信強度が低下した場合、その低下の度合がある程度急激であれば（単位時間当たりの低下分が第１閾値よりも大きければ）、受信状態は受信不可状態に遷移する（ＴＲ１）。また、受信強度が受信可能な最低限のレベル（第２閾値）よりも低くなった場合には、受信状態は受信監視不可状態に遷移する（ＴＲ２）。受信不可状態もしくは受信監視不可状態の場合に受信強度が受信可能な最低限のレベル（第２閾値）以上になった場合には、受信状態は受信可能状態に遷移する（ＴＲ３、ＴＲ４）。受信不可状態で一定時間（第３閾値）が経過した場合には、受信状態は受信監視不可状態に遷移する（ＴＲ５）。
【００５１】
図８は、実際の受信強度の変化に対して受信状態がどう変化するかを示した概略図である。図８に示されているように、受信状態監視部１２１による受信強度の取得は一定時間毎の周期（Ｔ１〜Ｔ２０）で行われるため、取得される受信強度は時間軸に対して離散的にプロットされた値となる。
【００５２】
図８に示されている時間軸の最初の時点では時刻Ｔ５まで受信強度が充分に高いために受信可能状態となっている。
時刻Ｔ５から時刻Ｔ６の期間において、受信強度が急激に低下したために、時刻Ｔ６以降、受信状態は受信不可状態へと遷移している。これは例えば、トンネル等の遮蔽物のある環境にデジタル放送受信装置１００が移動した場合に相当する。時刻Ｔ６から時刻Ｔ８の期間では、受信強度が低い状態が続くため、言い換えると受信強度が第２閾値よりも低いため、受信不可状態が継続している。これはトンネル等の遮蔽物のある環境で移動中もしくは停止中である場合に相当する。
時刻Ｔ８から時刻Ｔ９の期間では受信強度が回復し、受信強度が第２閾値以上になるため、時刻Ｔ９以降、受信状態は受信可能状態へと遷移している。これはトンネル等の遮蔽物のある環境から、デジタル放送受信装置１００が放送波を受信可能な場所に出た場合に相当する。
【００５３】
そして、時刻Ｔ９から時刻Ｔ１５の期間で、受信可能状態が継続した後、時刻Ｔ１５から時刻Ｔ１６の期間で、受信強度が第２閾値よりも低くなったために、受信状態は受信監視不可状態に遷移している。これは例えば、放送エリアの端まで移動したために放送波が減衰して受信できなくなった場合に相当する。この場合、移動中に受信強度は低下するものの、その低下の度合いはトンネルなどの遮蔽物のある環境に入った場合と比較して緩やかであると予想される。従って、受信強度の低下が急激でない場合には、受信状態は、受信不可状態でなく受信監視不可状態に遷移している。時刻Ｔ１６以降は、受信監視不可状態が継続しており、受信状態監視に用いている物理チャンネルの受信強度が低すぎるために、他の物理チャンネルの放送波が受信可能な環境にいるのかどうか推定ができないことを示している。
【００５４】
実施の形態１では、ユーザが番組視聴を行っている間に、ユーザに対する提示を伴わないバックグラウンドでのスキャン（以下、裏スキャン）を実行するケースを想定する。裏スキャンの目的は、デジタル放送受信装置が移動した場合に現在位置で受信可能な放送局を自動的にチャンネル情報１１２に反映することである。裏スキャンの実行はユーザからの指示とは無関係に制御部１２０によって自動的に決定される。裏スキャンの実行判断の基準としては、例えば、１０分おきに繰り返し実行したり、全体的な処理負荷が軽くなった場合に実行したりすることが考えられる。
【００５５】
図９は、１つの物理チャンネルに対する個別スキャン処理を示すフローチャートである。スキャンは、１つの物理チャンネルに対する個別スキャン処理を物理チャンネル毎に繰り返し行うことで実行される。以下、図９に従って処理の流れを説明する。
【００５６】
特定の物理チャンネルに対して処理を行う場合には、まず、スキャン制御部１２２は、今回の処理の対象となる物理チャンネルを示す同調指示を第２チューナ部１０６に与える（Ｓ３０）。第２チューナ部１０６は、与えられた同調指示で示される物理チャンネルの周波数範囲に対してチューニング処理を行う。そして、第２チューナ部１０６は、チューニング処理の結果として生成された、特定周波数帯域の受信信号を、第２復調部１０７に与える。第２復調部１０７は、与えられた受信信号に対して復調処理を行い、ＴＳを正常に生成できる場合にはフレームロック検出信号を、ＴＳを正常に生成することができない場合にはフレームアンロック検出信号をスキャン制御部１２２に与える。
【００５７】
次に、スキャン制御部１２２は、第２復調部１０７からフレームロック検出信号が得られたか否かを判断する（Ｓ３１）。そして、スキャン制御部１２２は、フレームロック検出信号が得られた場合（Ｓ３１：ＹＥＳ）には、ステップＳ３２の処理に進み、フレームロック検出信号が得られなかった場合（Ｓ３１：ＮＯ）には、今回の処理の対象となった物理チャンネルに放送波が存在しないと見なして個別スキャン処理を終了する。例えば、スキャン制御部１２２は、第２復調部１０７よりフレームアンロック信号を得た場合には、フレームロック検出信号が得られなかったと判断する。なお、第２復調部１０７からフレームロック検出信号が得られると、第２デマルチプレクス部１０８は、ＴＳから番組情報を分離することができ、第２復調部１０７からフレームアンロック検出信号が得られると、第２デマルチプレクス部１０８は、ＴＳから番組情報を分離することができない。
【００５８】
次に、スキャン制御部１２２は、第２デマルチプレクス部１０８に対してＳＩ情報フィルタリングの指示を行う（Ｓ３２）。例えば、スキャン制御部１２２は、ＡＲＩＢ規格で定義される情報テーブルのうち、ＮＩＴ、ＳＤＴ及びＢＩＴのＰＩＤを指定して、第２デマルチプレクス部１０８にこれらのフィルタリング処理を開始させる。第２デマルチプレクス部１０８は、ＮＩＴ、ＳＤＴ及びＢＩＴの記述されたＴＳパケットを検出すると、これらのテーブル情報を制御部１２０に与える。スキャン制御部１２２は、これらのテーブル情報が与えられると、第２デマルチプレクス部１０８にフィルタリング処理の終了を指示する。また、スキャン情報更新部１２３は、スキャン情報１１２に、ＮＩＴ、ＳＤＴ及びＢＩＴから得られる、ＴＳの情報（放送信号情報）を格納する（Ｓ３３）。なお、長時間待ってもＳＩ情報が受信できないケースに対応するため、フィルタリング処理を行う時間に予め制限をかけ、この制限時間経過時には、スキャン制御部１２２がフィルタリング処理を自動で終了するようにしてもよい。
【００５９】
図１０及び図１１は、実施の形態１におけるスキャン処理を示すフローチャートである。以下、図１０及び図１１に従ってスキャン処理の流れを説明する。
【００６０】
まず、スキャン情報更新部１２３は、放送波が放送される可能性のある全ての物理チャンネルをスキャン対象としてスキャンチャンネルリスト１１１Ａに登録する（Ｓ４０）。スキャンチャンネルリスト１１１Ａは、現在のスキャン対象となる物理チャンネルを保持したリストである。スキャンを実施する物理チャンネルの順序は任意であるが、ここでは一例として、デジタル放送受信装置１００は、日本国内で地上デジタル放送が行われている最小の物理チャンネル（１３）から最大の物理チャンネル（６２）へと１つずつ物理チャンネルの値をインクリメントしながらスキャンしていくものとする。
【００６１】
次に、スキャン制御部１２２は、受信状態監視部１２１が更新している受信状態情報１１３を参照して、現在の受信状態が受信監視不可状態かどうかを判定する（Ｓ４１）。そして、スキャン制御部１２２は、現在の受信状態が受信監視不可状態であれば（Ｓ４１：ＹＥＳ）、スキャン処理を終了（中止）する。一方、スキャン制御部１２２は、現在の受信状態が受信監視不可状態でなければ（Ｓ４１：ＮＯ）、ステップＳ４２の処理に進む。
【００６２】
ステップＳ４２では、スキャン制御部１２２は、受信状態情報１１３を参照して、現在の受信状態が受信不可状態かどうかを判定する。そして、スキャン制御部１２２は、現在の受信状態が受信不可状態である場合（Ｓ４２：ＹＥＳ）には、ステップＳ４３の処理に進み、現在の受信状態が受信不可状態ではない場合（Ｓ４２：Ｎｏ）には、ステップＳ４４の処理に進む。
【００６３】
ステップＳ４３では、スキャン制御部１２２は、スキャン処理を停止して、予め定められた期間待機する。そして、スキャン制御部１２２は、ステップＳ４１の処理に戻る。
【００６４】
ステップＳ４４では、スキャン制御部１２２は、スキャンチャンネルリスト１１１Ａから最初にスキャン対象とする物理チャンネルを特定する。本実施の形態では、スキャンチャンネルリスト１１１Ａ内での物理チャンネルのスキャン順序に関する制限は無いため、最初の物理チャンネルについても任意に決定してかまわない。
【００６５】
そして、スキャン制御部１２２は、スキャン対象として特定された物理チャンネルに対する個別スキャン処理を行う（Ｓ４５）。ここでの処理内容は、図９で説明したものである。
【００６６】
１つの物理チャンネルに対する個別スキャン処理の後、スキャン制御部１２２は、受信状態情報１１３を参照することで、現在の受信状態が受信監視不可状態かどうかの判定を行う（Ｓ４６）。そして、スキャン制御部１２２は、現在の受信状態が受信監視不可状態である場合（Ｓ４６：ＹＥＳ）には、スキャン処理を終了（中止）し、現在の受信状態が受信監視不可状態でない場合（Ｓ４６：ＮＯ）には、図１１のステップＳ４７の処理に進む。
【００６７】
図１１のステップＳ４７では、チャンネル情報更新部１２４は、現在の受信状態が受信不可状態であり、かつ、図１０のステップＳ４５における個別スキャン処理の結果が「放送波なし」であるか否かを判定する。そして、チャンネル情報更新部１２４は、現在の受信状態が受信不可状態であり、かつ、個別スキャン処理の結果が「放送波なし」である場合（Ｓ４７：ＹＥＳ）には、ステップＳ４８の処理に進む。一方、チャンネル情報更新部１２４は、現在の受信状態が受信不可状態ではない、又は、個別スキャン処理の結果が「放送波なし」ではない場合（Ｓ４７：Ｎｏ）には、ステップＳ４９の処理に進む。なお、チャンネル情報更新部１２４は、図１０のステップＳ４５における個別スキャン処理で、スキャン情報１１１のＮＴＩＤ欄１１１ｄ〜サービス名欄１１１ｉに格納された情報が「−」である場合には、個別スキャン処理の結果が「放送波なし」であると判断する。
【００６８】
ステップＳ４８では、チャンネル情報更新部１２４は、図１０のステップＳ４５における個別スキャン処理でスキャン情報１１１に格納された情報を、チャンネル情報１１２に反映しない。言い換えると、チャンネル情報更新部１２４は、チャンネル情報１１２において、図１０のステップＳ４５における個別スキャン処理の対象となった物理チャンネルが物理ｃｈ欄１１２ａに格納されている行に格納されている情報を削除して、図１０のステップＳ４５における個別スキャン処理でスキャン情報１１１に格納された情報を格納する処理を行わない。
【００６９】
一方、ステップＳ４９においては、チャンネル情報更新部１２４は、図１０のステップＳ４５における個別スキャン処理でスキャン情報１１１に格納された情報を、チャンネル情報１１２に反映する。言い換えると、チャンネル情報更新部１２４は、チャンネル情報１１２において、図１０のステップＳ４５における個別スキャン処理の対象となった物理チャンネルが物理ｃｈ欄１１２ａに格納されている行に格納されている情報を削除して、図１０のステップＳ４５における個別スキャン処理でスキャン情報１１１に格納された情報を格納する。
【００７０】
次に、スキャン制御部１２２は、スキャンチャンネルリスト１１１Ａに登録されている全ての物理チャンネルの個別スキャン処理が完了したかどうかの判定を行う（Ｓ５０）。そして、スキャン制御部１２２は、全ての物理チャンネルについて個別スキャン処理が完了している場合（Ｓ５０：ＹＥＳ）には、スキャン処理を終了する。一方、スキャン制御部１２２は、全ての物理チャンネルについて個別スキャン処理が完了していない場合（Ｓ５０：ＮＯ）、言い換えると、個別スキャン処理が完了していない物理チャンネルが存在する場合には、ステップＳ５１の処理に進む。
【００７１】
ステップＳ５１では、スキャン制御部１２２は、スキャンチャンネルリスト１１１Ａを参照して、次に個別スキャン処理の対象とする物理チャンネルを特定する。
【００７２】
そして、スキャン制御部１２２は、受信状態情報１１３を参照することで、現在の受信状態が受信不可状態かどうかの判定を行う（Ｓ５２）。そして、スキャン制御部１２２は、現在の受信状態が受信不可状態である場合（Ｓ５２：ＹＥＳ）には、ステップＳ５３の処理に進み、現在の受信状態が受信不可状態でない場合（Ｓ５２：ＮＯ）には、図１０のステップＳ４５の処理に戻り、ステップＳ５１で特定された物理チャンネルに対して個別スキャン処理を行う。
【００７３】
ステップＳ５３では、スキャン制御部１２２は、スキャン処理を停止して、予め定められた時間待機する。
【００７４】
次に、スキャン制御部１２２は、受信状態情報１１３を参照することで、現在の受信状態が受信監視不可状態かどうかの判定を行う（Ｓ５４）。そして、スキャン制御部１２２は、現在の受信状態が受信監視不可状態である場合（Ｓ５４：ＹＥＳ）には、スキャン処理を終了し、現在の受信状態が受信監視不可状態でない場合（Ｓ５４：ＮＯ）には、ステップＳ５５の処理に進む。
【００７５】
ステップＳ５５では、スキャン制御部１２２は、受信状態情報１１３を参照することで、現在の受信状態が受信不可状態かどうかの判定を行う。そして、スキャン制御部１２２は、現在の受信状態が受信不可状態である場合（Ｓ５５：ＹＥＳ）には、ステップＳ５３の処理に戻り、現在の受信状態が受信不可状態でない場合（Ｓ５５：ＮＯ）には、図１０のステップＳ４５の処理に戻り、ステップＳ５１で特定された物理チャンネルに対して個別スキャン処理を行う。
【００７６】
図１２は、実施の形態１におけるスキャン処理の実行例を示す概略図である。図１２に示されているように、スキャン処理中は１つの物理チャンネルのスキャンを行う毎に受信状態を参照し、処理内容を決定している。
１３チャンネル（スキャン結果は「放送波あり」）と１４チャンネル（スキャン結果は「放送波なし」）については、いずれも受信可能状態の期間内でスキャンが行われているため、スキャン情報更新部１２３は、スキャン結果が正確であると見なして、スキャン結果をチャンネル情報１１２に登録している。
【００７７】
一方、次にスキャンされた１５チャンネル（スキャン結果は「放送波なし」）では、スキャン前の受信状態は受信可能状態であるが、スキャン後の受信状態が受信不可状態になっている。この場合、スキャン中に放送波の受信が行えないような環境にデジタル放送受信装置１００が移動した可能性を考慮して、スキャン情報更新部１２３は、スキャン結果を一旦破棄して、スキャン結果をチャンネル情報１１２に登録しない。その後、受信状態が受信不可状態である間は、スキャン制御部１２２は、スキャン処理を一定時間待って受信状態をチェックする処理を繰り返す。
受信状態が受信可能状態に復帰すると、先ほどと同じ１５チャンネルに対する個別スキャン処理が再度実施され、スキャン情報更新部１２３は、スキャン後も受信状態が受信可能状態であることを確認した上で、スキャン結果（「放送波あり」）をチャンネル情報１１２に登録する。
【００７８】
その後スキャンされた物理チャンネルのうち、１６チャンネル（スキャン結果は「放送波なし」）と１８チャンネル（スキャン結果は「放送波あり」）については、受信状態が受信可能状態である期間内にスキャンが行われたため、スキャン情報更新部１２３は、スキャン結果をそのままチャンネル情報１１２に登録している。また、１７チャンネルについてはスキャン中に受信不可状態へと遷移しているものの、スキャン結果が「放送波あり」であるので、スキャン情報更新部１２３は、スキャン前後の受信状態に拘わらず、スキャン結果をチャンネル情報１１２に登録する。
【００７９】
なお、例えば、トンネルに進入した場合に受信強度が低下し始めてから受信不可能なレベルに低下するまでの時間が１つの物理チャンネルのスキャン時間と比較して大きい場合には、受信状態監視部１２１において１つの物理チャンネルの個別スキャン処理の時間よりも長い間隔で受信強度の変化を監視することも考えられる。この場合には、例えば、５チャンネル分スキャンする間の受信状態の変化を取得し、途中で受信不可状態に遷移していればスキャンした５チャンネルの中で「放送波なし」と判定されたチャンネルのみをスキャン再開時にまとめて再度個別スキャンするようにしてもよい。
【００８０】
以上に述べたように、実施の形態１におけるスキャン処理では、裏スキャン中に受信状態が受信監視不可状態となった場合にはスキャン処理を停止している。これは番組視聴中の物理チャンネルの受信強度が低下した場合にはユーザが正常に番組視聴を行えなくなるため、視聴可能な他の物理チャンネルに対してチャンネル切換を行うハンドオーバと呼ばれる処理を裏スキャンに代わって実行するためである。
【００８１】
図１３は、実施の形態１におけるハンドオーバ処理を示すフローチャートである。以下、図１３に従って処理の流れを説明する。
【００８２】
ハンドオーバを実施する際は、まず、スキャン制御部１２２は、チャンネル情報１１２を参照することで、視聴中の放送局のＭＦＮ局又は系列局にあたる放送局の物理チャンネルを全てスキャンチャンネルリスト１１１Ａに登録する（Ｓ６０）。ＭＦＮ局とは、視聴中の放送局が利用している物理チャンネルと異なる物理チャンネルで、視聴中の放送局と同じ放送波を流している放送局である。系列局は、地域ごとに存在する、視聴中の放送局と同じ放送会社の系列に属する放送局である。系列局をチャンネル切換先の候補として選択するのは、視聴中の番組と同じ番組を放送している可能性が高いためである。
【００８３】
次に、スキャン制御部１２２は、スキャンチャンネルリスト１１１Ａに登録された物理チャンネルの中から１つの物理チャンネルを個別スキャン処理の対象チャンネルとして特定する（Ｓ６１）。ハンドオーバ処理は切換先の放送局が見つかるまで継続して実施されるため、スキャン制御部１２２は、全ての物理チャンネルの個別スキャン処理が終了した場合は、再度全ての物理チャンネルについて個別スキャン処理を繰り返す。
【００８４】
スキャン対象の物理チャンネルを特定した後、特定された１つの物理チャンネルに対する個別スキャン処理を実行する（Ｓ６２）。ここでの処理は、図９に示されている処理と同じ処理である。
【００８５】
次に、スキャン制御部１２２は、ステップＳ６２における個別スキャン処理の結果を判定し、放送波が存在するか否かを判断する（Ｓ６３）。そして、スキャン制御部１２２は、放送波が存在すると判断した場合（Ｓ６３：ＹＥＳ）には、ステップＳ６４の処理に進み、放送波が存在しないと判断した場合（Ｓ６３：Ｎｏ）には、ステップＳ６５の処理に進む。ここで、チャンネル情報更新部１２４は、ステップＳ６２における個別スキャン処理で、スキャン情報１１１のＮＴＩＤ欄１１１ｄ〜サービス名欄１１１ｉに格納された情報が「−」である場合には、個別スキャン処理の結果が「放送波なし」であると判断する。
【００８６】
ステップＳ６４では、スキャン制御部１２２は、第１チューナ部１０１に、視聴中の物理チャンネルをスキャンで検出した物理チャンネルに切り換えるよう指示を出す。そして、スキャン制御部１２２は、ハンドオーバ処理を終了する。
【００８７】
一方、ステップＳ６５では、スキャン制御部１２２は、現在の受信状態が受信監視不可状態かどうかの判定を行う。そして、スキャン制御部１２２は、現在の受信状態が受信監視不可状態である場合（Ｓ６５：ＹＥＳ）には、ステップＳ６１の処理に戻る。また、スキャン制御部１２２は、受信監視不可状態でない場合は（Ｓ６５：ＮＯ）、既に受信強度が回復していると見なしてハンドオーバ処理を終了する。
【００８８】
以上に述べたハンドオーバ処理は一例であるため、他の実装方法としてもよい。例えば、放送波から現在地域が推定できる場合には、現在地域で受信可能なＭＦＮ局又は系列局のみをスキャン対象とするようにしてもよい。なお、ハンドオーバ処理によって視聴中の物理チャンネルが切り換わり、受信強度が充分に高くなった後は、また適当なタイミングで裏スキャンを実施することができる。
【００８９】
以上に述べたように、実施の形態１に係るデジタル放送受信装置１００は、スキャンに使用する放送受信系統と異なる放送受信系統（以下、受信監視系統）の受信強度を監視して受信状態を判定し、放送波の受信が正常に可能であると考えられる状態で行ったスキャン結果のみをチャンネル情報１１２に登録している。このため、放送波の受信状態を考慮するだけで、現在地域で本来受信可能な放送局を正しくチャンネル情報１１２に登録するようにスキャンを実行することができる。
【００９０】
また、実施の形態１に係るデジタル放送受信装置１００は、受信監視系統の受信強度が受信状態の判定を正確に行うために充分でない場合に、受信監視が不可能な状態であると判定することで、信頼性の低い受信状態の判定によって不適切なスキャン制御が行われる可能性を減らすことができる。
【００９１】
また、実施の形態１に係るデジタル放送受信装置１００は、受信状態の判定によって放送波の受信を正常に行うことができないと判定された期間内であっても、スキャンを実施した結果として放送波が検出された場合には、そのスキャン結果をチャンネル情報１１２に登録することで、受信状態の判定を誤った場合に同じ物理チャンネルに対する再スキャンが発生してスキャンが無駄に遅延する可能性を減らすことができる。
【００９２】
また、実施の形態１に係るデジタル放送受信装置１００は、受信監視系統の受信強度が急激に低下した場合に、スキャン処理を停止することで、例えばトンネル内部のような放送波の届かない場所で不要なスキャン処理を実行することによる消費電力の増加を抑えることができる。
【００９３】
また、実施の形態１に係るデジタル放送受信装置１００は、スキャン処理を停止した後、受信監視系統の受信強度が閾値以上高くなった場合に、停止した際の物理チャンネルからスキャンを再開することで、全ての物理チャンネルについて本来受信可能な放送波を取得するまでスキャンを行うことができる。
【００９４】
また、実施の形態１に係るデジタル放送受信装置１００は、受信監視系統を番組視聴に使用している放送受信系統に割り当てることで、番組視聴中にバックグラウンドでスキャン処理を行うような場合においても、２つの放送受信系統のみを使用して各処理を並行して実施することができる。
【００９５】
また、実施の形態１に係るデジタル放送受信装置１００は、受信監視系統の受信強度が緩やかに低下した場合、または急激に低下した後で一定時間が経過した場合に、スキャンを中止してハンドオーバ処理を行うことで、例えばトンネルを抜けた後で受信監視系統の物理チャンネルの放送波が受信できなくなっていた場合等に、番組を視聴不可能な状態から自動的に復帰することができる。
【００９６】
実施の形態２．
次に、実施の形態２について説明する。なお、実施の形態２は、実施の形態１と同じく、日本において使用されているＡＲＩＢ規格に対応していることを前提とする。
【００９７】
図１に示されているように、実施の形態２に係るデジタル放送受信装置２００は、第１チューナ部１０１と、第１復調部１０２と、第１デマルチプレクス部１０３と、デコード部１０４と、出力部１０５と、第２チューナ部１０６と、第２復調部１０７と、第２デマルチプレクス部１０８と、入力部１０９と、記憶部２１０と、制御部２２０とを備える。実施の形態２に係るデジタル放送受信装置２００は、記憶部２１０に記憶されている情報及び制御部２２０での処理において、実施の形態１に係るデジタル放送受信装置１００と異なっている。
ここで、実施の形態２では、実施の形態１と異なり、ユーザが番組を視聴中でない場合に、ユーザ指示等によってスキャン処理を実行する場合を考える。言い換えると、実施の形態２で実行されるスキャン処理は、バックグラウンドで行う裏スキャンではない。また、第１チューナ部１０１、第１復調部１０２及び第１デマルチプレクス部１０３からなる放送受信系統は番組視聴に使用されていないため、実施の形態２においては、この放送受信系統を受信状態監視処理のみに使用することができる。
【００９８】
記憶部２１０は、スキャン情報２１１と、チャンネル情報１１２と、受信状態情報１１３とを記憶する。実施の形態２における記憶部２１０は、スキャン情報２１１において、実施の形態１における記憶部１１０と異なっている。
【００９９】
実施の形態２におけるスキャン情報２１１は、スキャンチャンネルリスト１１１Ａと、スキャン結果リスト２１１Ｂとを有する。スキャンチャンネルリスト１１１Ａは、実施の形態１と同様であり、例えば、図２に示されているように構成されている。
【０１００】
実施の形態２におけるスキャン結果リスト２１１Ｂは、スキャン対象となる物理チャンネル毎に、制御部２２０でスキャンを行う際の状況を示す状況情報と、制御部２２０で行われたスキャンの結果、取得された放送信号情報とを格納する情報である。
図１４は、スキャン結果リスト２１１Ｂの一例を示す概略図である。スキャン結果リスト２１１Ｂは、物理ｃｈ欄２１１ｃと、前回スキャン時のスキャン結果欄２１１ｄと、前回スキャン時の受信強度欄２１１ｅと、前回スキャン前の受信状態欄２１１ｆと、前回スキャン後の受信状態欄２１１ｇと、ＮＴＩＤ欄２１１ｈと、ＭＦＮ局の物理ｃｈ欄２１１ｉと、系列局ＩＤ欄２１１ｊと、ＴＳＩＤ欄２１１ｋと、サービスＩＤ欄２１１ｌと、サービス名欄２１１ｍとを有する。ここで、物理ｃｈ欄２１１ｃ、ＮＴＩＤ欄２１１ｈ、ＭＦＮ局の物理ｃｈ欄２１１ｉ、系列局ＩＤ欄２１１ｊ、ＴＳＩＤ欄２１１ｋ、サービスＩＤ欄２１１ｌ、及び、サービス名欄２１１ｍについては、実施の形態１におけるスキャン結果リスト１１１Ｂ（図３参照）における、物理ｃｈ欄１１１ｃ、ＮＴＩＤ欄１１１ｄ、ＭＦＮ局の物理ｃｈ欄１１１ｅ、系列局ＩＤ欄１１１ｆ、ＴＳＩＤ欄１１１ｇ、サービスＩＤ欄１１１ｈ、及び、サービス名欄１１１ｉと同様である。
【０１０１】
前回スキャン時のスキャン結果欄２１１ｄは、物理ｃｈ欄２１１ｃに格納されている物理チャンネルについて、個別スキャン処理を前回実行した際に、放送波が存在すると判断されたか、放送波が存在しないと判断されたかを示す前回スキャン時のスキャン結果を格納する。
前回スキャン時の受信強度欄２１１ｅは、物理ｃｈ欄２１１ｃに格納されている物理チャンネルについて、個別スキャン処理を前回実行した際の、スキャン処理系統のチューナ部（ここでは、第２チューナ部１０６）の受信強度を示す前回スキャン時の受信強度を格納する。
前回スキャン前の受信状態欄２１１ｆは、物理ｃｈ欄２１１ｃに格納されている物理チャンネルについて、個別スキャン処理を前回実行する前の受信監視系統のチューナ部（ここでは、第１チューナ部１０１）の受信状態を示す前回スキャン前の受信状態を格納する。
前回スキャン後の受信状態欄２１１ｇは、物理ｃｈ欄２１１ｃに格納されている物理チャンネルについて、個別スキャン処理を前回実行した後の受信監視系統のチューナ部の受信状態を示す前回スキャン後の受信状態を格納する。
【０１０２】
制御部２２０は、デジタル放送受信装置２００で行われる処理を統括的に制御する。また、制御部２２０は、受信状態監視部２２１と、スキャン制御部２２２と、スキャン情報更新部２２３と、チャンネル情報更新部１２４とを備える。実施の形態２における制御部２２０は、受信状態監視部２２１、スキャン制御部２２２及びスキャン情報更新部２２３での処理において、実施の形態１における制御部１２０と異なっている。
【０１０３】
受信状態監視部２２１は、実施の形態１における受信状態監視部１２１と同様の処理を行う他、スキャン制御部２２２からの指示に応じて、スキャン制御部２２２により指示された物理チャンネルを第１チューナ部１０１に設定して、電波の受信強度を取得する。
また、受信状態監視部２２１は、スキャン制御部２２２がスキャン処理を開始する際には、受信強度が最も高い物理チャンネルを第１チューナ部１０１に設定する。例えば、受信状態監視部２２１は、日本国内で地上デジタル放送が行われている最小の物理チャンネル（１３）から最大の物理チャンネル（６２）へと１ずつ物理チャンネルの値をインクリメントしながら受信強度を測定することにより、最も電波の受信強度が高い物理チャンネルを特定し、特定した物理チャンネルを第１チューナ部１０１に設定する。なお、受信状態監視部２２１は、前回実施したスキャンの結果得られた受信強度を利用することにより、最も電波の受信強度が高い物理チャンネルを特定して、特定した物理チャンネルを第１チューナ部１０１に設定してもよい。
【０１０４】
スキャン制御部２２２は、実施の形態１におけるスキャン制御部１２２と同様に、第２チューナ部１０６、第２復調部１０７及び第２デマルチプレクス部１０８を制御して、スキャンを実行する。ここで、実施の形態１におけるスキャン制御部１２２は、受信監視系統がユーザにより選択された番組の放送波を受信している際に、スキャン処理を行っているが、実施の形態２におけるスキャン制御部２２２は、受信監視系統がユーザにより選択された番組の放送波を受信していない際にスキャン処理を行っている。そこで、スキャン制御部２２２は、スキャン処理を行う際に、受信状態監視部２２１に、受信強度を監視する物理チャンネルを指示する。なお、スキャン制御部２２２は、スキャン処理の開始時には、最も受信強度の高い物理チャンネルを特定することができないため、最も受信強度の高い物理チャンネルを検索するように、受信状態監視部２２１に指示する。
【０１０５】
スキャン情報更新部２２３は、スキャン制御部２２２で実行されたスキャンの結果、及び、受信状態監視部２２１が検出した受信状態に従って、スキャン情報２１１を更新する。
【０１０６】
図１５及び図１６は、実施の形態２におけるスキャン処理を示すフローチャートである。以下、図１５に従って処理の流れを説明する。
【０１０７】
まず、スキャン制御部２２２は、最も受信強度の高い物理チャンネルを検索するように、受信状態監視部２２１に指示する。受信状態監視部２２１は、第１チューナ部１０１を制御して、例えば、最小の物理チャンネル（１３）から最大の物理チャンネル（６２）へと１ずつ物理チャンネル値をインクリメントしながら受信強度を取得し、最も受信強度の高い物理チャンネルを第１チューナ部１０１に設定する（Ｓ７０）。
【０１０８】
次に、スキャン情報更新部２２３は、放送波が放送される可能性のある全物理チャンネルをスキャン対象としてスキャンチャンネルリスト１１１Ａに登録する（Ｓ７１）。実施の形態１の場合と同じく、ここでは一例として日本国内で地上デジタル放送が行われている最小の物理チャンネル（１３）から最大の物理チャンネル（６２）へと１ずつ物理チャンネル値をインクリメントしながらスキャンしていくことを仮定する。
【０１０９】
スキャン制御部２２２は、スキャンチャンネルリスト１１１Ａより、次のスキャン対象チャンネルを特定する（Ｓ７２）。
【０１１０】
そして、スキャン情報更新部２２３は、受信状態情報１１３を参照することにより、現在の受信状態を取得して、スキャン情報２１１中のスキャン結果リスト２１１Ｂにおいて、ステップＳ７２で特定された物理チャンネルに対応する前回スキャン前の受信状態欄２１１ｆに、取得された受信状態を格納する（Ｓ７３）。
【０１１１】
そして、スキャン制御部２２２は、ステップＳ７２で特定された物理チャンネルに対して、個別スキャン処理を実行する（Ｓ７４）。ここで実行される１つの物理チャンネルに対する個別スキャン処理は、実施の形態１における処理（図９参照）と同様である。但し、スキャン情報更新部２２３は、図９のステップＳ３３において、スキャン結果リスト２１１Ｂの前回スキャン時の受信強度欄２１１ｅに、第２チューナ部１０６から得られた受信強度を格納するとともに、前回スキャン時のスキャン結果に「放送波有り」及び「放送波無し」の何れか一方を格納する。ここで、スキャン結果リスト２１１Ｂにおいて、ＮＴＩＤ欄２１１ｈ、ＭＦＮ局の物理ｃｈ欄２１１ｉ、系列局ＩＤ欄２１１ｊ、ＴＳＩＤ欄２１１ｋ、サービスＩＤ欄２１１ｌ及びサービス名欄２１１ｍに「−」が格納されている場合には、その物理チャンネルは「放送波なし」と判定され、これらの欄に「−」以外の値が含まれている場合には、その物理チャンネルは「放送波あり」と判定される。
【０１１２】
個別スキャン処理の終了後、スキャン情報更新部２２３は、受信状態情報１１３を参照することにより、現在の受信状態を取得して、スキャン情報２１１中のスキャン結果リスト２１１Ｂにおいて、ステップＳ７２で特定された物理チャンネルに対応する前回スキャン後の受信状態欄２１１ｇに、取得された受信状態を格納する（Ｓ７５）。
【０１１３】
スキャン制御部２２２は、スキャンチャンネルリスト１１１Ａに登録されている全ての物理チャンネルに対して個別スキャン処理が完了したかどうかの判定する（Ｓ７６）。そして、スキャン制御部２２２は、全ての物理チャンネルについて個別スキャン処理が完了していれば（Ｓ７６：ＹＥＳ）、図１６のステップＳ７７の処理に進む。一方、スキャン制御部２２２は、全ての物理チャンネルについては個別スキャン処理が完了していなければ（Ｓ７６：ＮＯ）、言い換えると、個別スキャン処理が完了していない物理チャンネルが存在する場合には、ステップＳ７２の処理に戻る。
【０１１４】
次に、図１６に進み、スキャン制御部２２２は、スキャン処理中に取得された受信状態が全て受信監視不可状態であったかどうかの判定を行う（Ｓ７７）。例えば、スキャン制御部２２２は、スキャン情報２１１に含まれているスキャン結果リスト２１１Ｂの前回スキャン前の受信状態欄２１１ｆ及び前回スキャン後の受信状態欄２１１に格納されている受信状態が、全て受信監視不可状態であるか否かにより、ステップＳ７７の判定を行うことができる。そして、スキャン制御部２２２は、スキャン処理中に取得された受信状態が全て受信監視不可状態ではない場合（Ｓ７７：ＮＯ）、言い換えると、スキャン処理中に取得された受信状態の中に、受信監視不可状態以外のものが含まれる場合には、ステップＳ７８の処理に進む。一方、スキャン制御部２２２は、スキャン処理中に取得された受信状態が全て受信監視不可状態である場合（Ｓ７７：ＹＥＳ）には、ステップＳ８１の処理に進む。
【０１１５】
ステップＳ７８では、スキャン情報更新部２２３は、受信可能状態以外の受信状態で個別スキャン処理が行われ、かつ、スキャン結果が「放送波なし」であった物理チャンネルが存在するかの判定を行う。なお、この場合、スキャン中の受信状態が受信可能状態と見なされるのは、個別スキャン処理の前と後に取得された受信状態、即ち、スキャン結果リスト２１１Ｂの前回スキャン前の受信状態欄２１１ｆ及び前回スキャン後の受信状態欄２１１ｇに格納されている受信状態が両方とも受信可能状態であった場合だけである。そして、スキャン情報更新部２２３は、このような条件を満たす物理チャンネルが存在する場合（Ｓ７８：ＹＥＳ）には、ステップＳ７９の処理に進み、このような条件を満たす物理チャンネルが存在しない場合（Ｓ７８：ＮＯ）には、ステップＳ８０の処理に進む。
【０１１６】
ステップＳ７９では、スキャン情報更新部２２３は、ステップＳ７８における条件を満たす物理チャンネルだけをスキャンチャンネルリスト１１１Ａに登録する。
また、ステップＳ８０では、チャンネル情報更新部１２４は、スキャン情報２１１に格納されている全ての物理チャンネルの放送信号情報を示すように、チャンネル情報１１２を更新する。
【０１１７】
一方、ステップＳ７７において、スキャン制御部２２２が、スキャン処理中に取得された受信状態が全て受信監視不可状態であると判定した場合（Ｓ７７：ＹＥＳ）には、ステップＳ８１の処理に進む。ステップＳ８１では、スキャン制御部２２２は、スキャン情報２１１のうちのスキャン結果リスト２１１Ｂを参照することにより、現在第１チューナ部１０１に設定されている物理チャンネル以外に、放送波を受信可能な物理チャンネルが存在するか否かを判定する。例えば、スキャン制御部２２２は、スキャン結果リスト２１１Ｂの前回スキャン後の受信状態欄２１１ｇに格納されている受信状態が、受信可能状態である物理チャンネルがあるか否かにより、ステップＳ８１の判定を行うことができる。そして、スキャン制御部２２２は、放送波を受信可能な物理チャンネルが存在しない場合（Ｓ８１：ＮＯ）には、ステップＳ８０の処理に進み、放送波を受信可能な物理チャンネルが存在する場合（Ｓ８１：ＹＥＳ）には、ステップＳ８２の処理に進む。
【０１１８】
ステップＳ８２では、スキャン制御部２２２は、ステップＳ８１において、放送波を受信可能と判定された物理チャンネルのうち最も受信強度の強いものを設定するように、受信状態監視部２２１に指示を出す。このような指示を受けた受信状態監視部２２１は、指示された物理チャンネルを第１チューナ部１０１に設定する。ここで、受信強度の最も強い物理チャンネルについては、スキャン結果リスト２１１Ｂの前回スキャン時の受信強度欄２１１ｅの値に基づいて判断される。
【０１１９】
次に、スキャン制御部２２２は、直前の個別スキャン処理で「放送波なし」と判定された物理チャンネルのみをスキャンチャンネルリスト１１１Ａに登録する（Ｓ８３）。これは、「放送波あり」と判定されたチャンネルを再度個別スキャン処理の対象から除外するための処置である。
【０１２０】
次に、スキャン制御部２２２は、ステップＳ７９又はＳ８３で登録された再個別スキャン処理用のスキャンチャンネルリスト１１１Ａから、次のスキャン対象チャンネルを特定する（Ｓ８４）。
【０１２１】
そして、スキャン情報更新部２２３は、受信状態情報１１３を参照することにより、現在の受信状態を取得して、スキャン情報２１１中のスキャン結果リスト２１１Ｂにおいて、ステップＳ８４で特定された物理チャンネルに対応する前回スキャン前の受信状態欄２１１ｆに、取得された受信状態を格納する（Ｓ８５）。
【０１２２】
そして、スキャン制御部２２２は、ステップＳ８４で特定された物理チャンネルに対して、個別スキャン処理を実行する（Ｓ８６）。ここで実行される１つの物理チャンネルに対する個別スキャン処理は、実施の形態１における処理（図９参照）と同様である。但し、スキャン情報更新部２２３は、図９のステップＳ３３において、スキャン結果リスト２１１Ｂの前回スキャン時の受信強度欄２１１ｅに、第２チューナ部１０６から得られた受信強度を格納するとともに、前回スキャン時のスキャン結果に「放送波あり」及び「放送波なし」の何れか一方を格納する。
【０１２３】
個別スキャン処理の終了後、スキャン情報更新部２２３は、受信状態情報１１３を参照することにより、現在の受信状態を取得して、スキャン情報２１１中のスキャン結果リスト２１１Ｂにおいて、ステップＳ８４で特定された物理チャンネルに対応する前回スキャン後の受信状態欄２１１ｇに、取得された受信状態を格納する（Ｓ８７）。
【０１２４】
スキャン制御部２２２は、スキャンチャンネルリスト１１１Ａに登録されている全ての物理チャンネルに対して個別スキャン処理が完了したかどうかを判定する（Ｓ８８）。そして、スキャン制御部２２２は、全ての物理チャンネルについて個別スキャン処理が完了している場合（Ｓ８８：ＹＥＳ）には、ステップＳ７７の処理に戻る。一方、スキャン制御部２２２は、全ての物理チャンネルについては個別スキャン処理が完了していない場合（Ｓ８８：ＮＯ）には、言い換えると、個別スキャン処理が完了していない物理チャンネルが存在する場合には、ステップＳ８４の処理に戻る。
【０１２５】
なお、図１５のステップＳ７０においては、受信状態監視部２２１は、第１チューナ部１０１に最も受信強度が高い物理チャンネルを検索させているが、このような例に限定されるものではない。例えば、受信状態監視部２２１は、第１チューナ部１０１に予め定められた閾値、例えば、第２閾値以上の受信強度である物理チャンネルを検索させ、このような物理チャンネルが見つかった時点で、このような物理チャンネルを第１チューナ部１０１に設定して、ステップＳ７１の処理に進んでもよい。
【０１２６】
図１７は、実施の形態２におけるスキャン処理の実行例を示す概略図である。
実施の形態２に係るデジタル放送受信装置２００は、実施の形態１に係るデジタル放送受信装置１００と同様に、スキャン処理中は１つの物理チャンネルの個別スキャン処理を行う毎に受信状態を参照しているが、それによって直ちに個別スキャン処理の実行状態を変更してはおらず、受信状態の記録を行っている。この受信状態の記録情報は、全チャンネルについて一通り個別スキャン処理が終わった後で物理チャンネル毎に再個別スキャン処理を実施するかどうかの判定に用いられる。
【０１２７】
個別スキャン処理の結果を登録するか破棄するかの判定基準は、個別スキャン処理前後の受信状態が両方とも受信可能状態であるか、又は、個別スキャン処理の結果が「放送波あり」かどうかである。例えば、図１７では、１５チャンネル、１６チャンネル及び１８チャンネルについては、スキャン結果が「放送波なし」であり、スキャン前後の受信状態に受信可能状態以外の受信状態が含まれるため、スキャン結果は破棄され、スキャン情報２１１からチャンネル情報１１２への反映は行われない。一方、１７チャンネルについては、スキャン結果が「放送波あり」であることから、スキャン前後の受信状態が受信不可状態であったとしてもスキャン結果をチャンネル情報１１２に登録している。
【０１２８】
なお、実施の形態２において、受信監視不可状態が長時間続いた場合には、図１６のステップＳ７７及びステップＳ８１の判定によって、スキャン処理を中止する処理を行っているが、この場合には、例えば、出力部１０５を介して、ユーザに対して受信状態不良によるスキャン中止を行うことを提示することが望ましい。
【０１２９】
以上に述べたように、実施の形態２に係るデジタル放送受信装置２００では、実施の形態１の場合と同様に、放送波を受信する構成を有するだけで、現在地域で本来受信可能な放送局を正しく登録するようにスキャン処理を実行することができる。
【０１３０】
また、実施の形態２に係るデジタル放送受信装置２００では、実施の形態１の場合と同様に、信頼性の低い受信状態の判定によって不適切なスキャン処理が行われる可能性を減らすことができる。
【０１３１】
また、実施の形態２に係るデジタル放送受信装置２００では、実施の形態１の場合と同様に、受信状態の判定を誤った場合に同じ物理チャンネルに対する再個別スキャン処理が行われ、スキャン処理が無駄に遅延する可能性を減らすことができる。
【０１３２】
また、実施の形態２に係るデジタル放送受信装置２００では、一旦、全物理チャンネルについて個別スキャン処理を行った後、そのスキャン結果が「放送波なし」、かつ、受信状態の判定によって受信可能な状態でスキャンしたと見なされない物理チャンネルについては、再個別スキャン処理が行われることで、物理チャンネル単位で中止と再開を行う実施の形態１に係るデジタル放送受信装置１００と比較して、受信状態の判定誤りによってスキャン処理の完了までの時間が遅延する可能性を抑えることができる。
【０１３３】
また、実施の形態２に係るデジタル放送受信装置２００では、スキャン開始時に受信監視系統に、物理チャンネル中で最も受信強度の高い物理チャンネルを設定することで、信頼性の高い受信状態の判定を行うことができる。
【０１３４】
また、実施の形態２に係るデジタル放送受信装置２００では、受信監視系統の受信強度が低いレベルで推移し続けた場合に、受信監視系統に、現在の物理チャンネル中で最も受信強度の高い物理チャンネルを設定し直すことで、受信状況が刻々と変化する中でも信頼性の高い受信状態の判定を行うことができる。
【０１３５】
以上に記載した実施の形態１及び実施の形態２では、いずれも２つの放送受信系統を持つ構成を仮定したが、本発明を実施する上では、放送受信系統が３つ以上存在してもよい。例えば、３つの放送受信系統が存在する場合には、１つを番組視聴用、１つを受信監視用、１つをスキャン用に使用するように構成してもよい。
【０１３６】
また、以上に記載した実施の形態１及び実施の形態２では、放送信号情報を取得するためにスキャン処理を実行することを仮定したが、本発明は、物理チャンネル毎に個別スキャン処理を行うものであれば、スキャン処理の目的によらず適用可能である。例えば、本発明は、番組表作成のために、スキャン処理を行う場合にも適用できる。
【０１３７】
また、以上に記載した実施の形態１及び実施の形態２では、個別スキャン処理の対象範囲は１３チャンネルから６２チャンネルであり、個別スキャン処理の順序は１３チャンネルから１チャンネルずつ昇順に行うことを仮定したが、このような対象範囲及び順序に限定されるものではない。例えば、受信強度が閾値以上の物理チャンネルのみを、受信強度が高い順に個別スキャン処理を行うようにしてもよい。
【０１３８】
また、以上に記載した実施の形態１及び実施の形態２では、日本国内の地上デジタル放送で使用されるＡＲＩＢ規格による放送を仮定したが、このような放送規格に限定されるものではない。例えば、欧州で主に使用されるＤＶＢ−Ｔ規格による地上デジタル放送に適用してもよい。
【０１３９】
以上に記載した実施の形態１及び実施の形態２においては、受信状態監視部１２１、２２１は、前回取得された受信強度から今回取得された受信強度の低下分が、第１閾値よりも大きい場合に、受信状態が受信不可状態であると判断しているが、例えば、受信状態監視部１２１、２２１は、前回取得された受信強度から今回取得された受信強度の低下分が、第１閾値よりも大きく、かつ、今回取得された受信強度が第２閾値よりも低い場合に、受信状態が受信不可状態であると判断してもよい。また、受信される受信強度から第１閾値で示される値低下した場合には、第２閾値よりも低くなるように、第１閾値の値が定められていてもよい。
【符号の説明】
【０１４０】
１００，２００：デジタル放送受信装置、  １０１：第１チューナ部、  １０２：第１復調部、  １０３：第１デマルチプレクス部、  １０４：デコード部、  １０５：出力部、  １０６：第２チューナ部、  １０７：第２復調部、  １０８：第２デマルチプレクス部、  １０９：入力部、  １１０，２１０：記憶部、  １１１，２１１：スキャン情報、  １１２：チャンネル情報、  １１３：受信状態情報、  １２０，２２０：制御部、  １２１，２２１：受信状態監視部、  １２２，２２２：スキャン制御部、  １２３，２２３：スキャン情報更新部、  １２４：チャンネル情報更新部。
【図１】
0005836787.tif 000002
【図２】
0005836787.tif 000003
【図３】
0005836787.tif 000004
【図４】
0005836787.tif 000005
【図５】
0005836787.tif 000006
【図６】
0005836787.tif 000007
【図７】
0005836787.tif 000008
【図８】
0005836787.tif 000009
【図９】
0005836787.tif 000010
【図１０】
0005836787.tif 000011
【図１１】
0005836787.tif 000012
【図１２】
0005836787.tif 000013
【図１３】
0005836787.tif 000014
【図１４】
0005836787.tif 000015
【図１５】
0005836787.tif 000016
【図１６】
0005836787.tif 000017
【図１７】
0005836787.tif 000018